(57)【要約】      （修正有）【課題】容易に水素ガスを吸引することができる携帯型水素ガス吸引装置を提供する。【解決手段】放出部２を有する携帯型水素ガス貯蔵容器１と、吸引パイプ５とを備え、放出部２が、吸引パイプ５と嵌合される第１連結部１２を有するケーシング１１と、基端側がケーシング１１内に配設されると共に先端が露出する水素ガス放出ノズル１３と、水素ガス放出ノズル１３の基端側のノズル口を封止可能なバルブ１４とを有し、吸引パイプ５が、第１連結部１２と嵌合される第２連結部２２を有する連結管２１と、第１連結部１２及び第２連結部２２の嵌合状態で水素ガス放出ノズル１３と先端同士が突き合わされ、水素ガス放出ノズル１３を押圧可能な水素ガス吸引ノズル２４とを有し、第１連結部１２及び第２連結部２２の嵌合状態で水素ガス放出ノズル１３が基端側に押圧されることで携帯型水素ガス貯蔵容器１と連結管２１とが連通する、携帯型水素ガス吸引装置。【選択図】図４
2020130723.tif 000002
【特許請求の範囲】
【請求項１】
内部に水素ガスが貯蔵され、この水素ガスを放出可能な放出部を有する携帯型水素ガス貯蔵容器と、
上記放出部と着脱可能に連結され、上記放出部から放出される水素ガスを吐出可能な吸引パイプと
を備え、
上記放出部が、上記吸引パイプと嵌合される第１連結部を有するケーシングと、基端側が上記ケーシング内に配設されると共に先端が露出する水素ガス放出ノズルと、上記水素ガス放出ノズルの基端側のノズル口を封止可能なバルブとを有し、
上記吸引パイプが、上記第１連結部と嵌合される第２連結部を有する連結管と、上記第１連結部及び第２連結部の嵌合状態で上記水素ガス放出ノズルと先端同士が突き合わされ、上記水素ガス放出ノズルを押圧可能な水素ガス吸引ノズルとを有し、
上記第１連結部及び第２連結部の嵌合状態で上記水素ガス放出ノズルが基端側に押圧されることで上記携帯型水素ガス貯蔵容器と連結管とが連通する携帯型水素ガス吸引装置。
【請求項２】
上記吸引パイプが、水素ガスの流路を開閉可能なバルブ機構を有する請求項１に記載の携帯型水素ガス吸引装置。
【請求項３】
上記吸引パイプが、上記バルブ機構として、上記連結管に摺動可能に外嵌する摺動管と、上記摺動管を軸方向の一方側に付勢するバネ部材と、上記バネ部材に付勢された状態で水素ガスの流路を封止するシール部材とを有する請求項２に記載の携帯型水素ガス吸引装置。
【請求項４】
上記吸引パイプが、水素ガスの流路に形成され、香料及び吸着剤の少なくとも一方を収容可能な収容室を有する請求項１、請求項２又は請求項３に記載の携帯型水素ガス吸引装置。
【発明の詳細な説明】
【技術分野】
【０００１】
本発明は、携帯型水素ガス吸引装置に関する。
【背景技術】
【０００２】
水素は、体内に取り込まれると還元力によって体内の活性酸素を除去することができ、アンチエイジング効果があるといわれている。
【０００３】
今日、予め水素ガスを水に溶解した水素水を飲むことで水素を体内に取り込む方法が普及している。しかしながら、水に溶解した水素ガスは脱気しやすい。そのため、この方法によると、水素水を飲む前に水素ガスの脱気が進行し、十分な水素を摂取できないおそれがある。
【０００４】
このような観点から、水素ガスを直接吸引する方法が提案されている。水素ガスを直接吸引可能な装置として、水素ガス吸引パイプ（特開２０１７−２３６６４号公報参照）が発案されている。
【先行技術文献】
【特許文献】
【０００５】
【特許文献１】特開２０１７−２３６６４号公報
【発明の概要】
【発明が解決しようとする課題】
【０００６】
上記公報に記載の水素ガス吸引パイプは、水素発生器で電気分解によって生成され、この水素発生器の水素ガス供給ノズルから排出された水素ガスを吸引可能に構成されている。
【０００７】
しかしながら、上記公報に記載の構成によると、水素ガスを吸引しようとする場合、水素発生器で電気分解を行い水素ガスを発生させることを要する。そのため、この公報に記載の構成によると、装置全体が大掛かりなものとなると共に、所望の際に手軽に水素ガスを吸引することが困難である。
【０００８】
本発明は、このような事情に基づいてなされたものであり、所望の際に容易に水素ガスを吸引することができる携帯型水素ガス吸引装置の提供を課題とする。
【課題を解決するための手段】
【０００９】
上記課題を解決するためになされた本発明に係る携帯型水素ガス吸引装置は、内部に水素ガスが貯蔵され、この水素ガスを放出可能な放出部を有する携帯型水素ガス貯蔵容器と、上記放出部と着脱可能に連結され、上記放出部から放出される水素ガスを吐出可能な吸引パイプとを備え、上記放出部が、上記吸引パイプと嵌合される第１連結部を有するケーシングと、基端側が上記ケーシング内に配設されると共に先端が露出する水素ガス放出ノズルと、上記水素ガス放出ノズルの基端側のノズル口を封止可能なバルブとを有し、上記吸引パイプが、上記第１連結部と嵌合される第２連結部を有する連結管と、上記第１連結部及び第２連結部の嵌合状態で上記水素ガス放出ノズルと先端同士が突き合わされ、上記水素ガス放出ノズルを押圧可能な水素ガス吸引ノズルとを有し、上記第１連結部及び第２連結部の嵌合状態で上記水素ガス放出ノズルが基端側に押圧されることで上記携帯型水素ガス貯蔵容器と連結管とが連通する。
【００１０】
当該携帯型水素ガス吸引装置は、携帯型水素ガス貯蔵容器の放出部と吸引パイプの連結管とが着脱可能に構成されている。また、この放出部と連結管とは、第１連結部と第２連結部とが嵌合することで連通可能に構成されている。そのため、当該携帯型水素ガス吸引装置は、例えば上記携帯型水素ガス貯蔵容器と吸引パイプとを別個に保持し、水素ガスを吸引したい場合に両者を連結することで容易に水素ガスを吸引することができる。従って、当該携帯型水素ガス吸引装置は、所望の際に容易に水素ガスを吸引することができる。
【００１１】
上記吸引パイプが、水素ガスの流路を開閉可能なバルブ機構を有するとよい。このように、上記吸引パイプが、水素ガスの流路を開閉可能なバルブ機構を有することによって、例えば上記携帯型水素ガス貯蔵容器と吸引パイプとを連結状態で保持し、水素ガスを吸引したい場合に水素ガスの流路を開にするよう上記バルブ機構を操作することで容易かつ迅速に水素ガスを吸引することができる。
【００１２】
上記吸引パイプが、上記バルブ機構として、上記連結管に摺動可能に外嵌する摺動管と、上記摺動管を軸方向の一方側に付勢するバネ部材と、上記バネ部材に付勢された状態で水素ガスの流路を封止するシール部材とを有するとよい。このように、上記吸引パイプが、上記バルブ機構として、上記連結管に摺動可能に外嵌する摺動管と、上記摺動管を軸方向の一方側に付勢するバネ部材と、上記バネ部材に付勢された状態で水素ガスの流路を封止するシール部材とを有することによって、上記摺動管を連結管に対して摺動させることで容易かつ迅速に水素ガスを吸引することができる。
【００１３】
上記吸引パイプが、水素ガスの流路に形成され、香料及び吸着剤の少なくとも一方を収容可能な収容室を有するとよい。このように、上記吸引パイプが、水素ガスの流路に形成され、香料及び吸着剤の少なくとも一方を収容可能な収容室を有することによって、使用者により快適に水素ガスを吸引させることができる。
【発明の効果】
【００１４】
本発明に係る携帯型水素ガス吸引装置によると、所望の際に容易に水素ガスを吸引することができる。
【図面の簡単な説明】
【００１５】
【図１】図１は、本発明の一実施形態に係る携帯型水素ガス吸引装置を示す模式的斜視図である。
【図２】図２は、図１の携帯型水素ガス吸引装置の携帯型水素ガス貯蔵容器と吸引パイプとを取り外した状態を示す模式的斜視図である。
【図３】図３は、図２の携帯型水素ガス吸引装置の模式的Ｂ−Ｂ線一部断面図である。
【図４】図４は、図１の携帯型水素ガス吸引装置の模式的Ａ−Ａ線一部断面図である。
【図５】図５は、図４の携帯型水素ガス貯蔵容器と吸引パイプとの連結状態から摺動管をバネ部材の付勢に抗して摺動させた状態を示す模式的断面図である。
【発明を実施するための形態】
【００１６】
以下、図１〜図５を参照しつつ、本発明の実施の形態を詳説する。
【００１７】
［携帯型水素ガス吸引装置］
図１〜図５に示すように、当該携帯型水素ガス吸引装置は、内部に水素ガスが貯蔵され、この水素ガスを放出可能な放出部２を有する携帯型水素ガス貯蔵容器１と、放出部２と着脱可能に連結され、放出部２から放出される水素ガスを吐出可能な吸引パイプ５とを備える。当該携帯型水素ガス吸引装置は、携帯型水素ガス貯蔵容器１から放出される水素ガスを吸引パイプ５から加圧排出可能に構成される。当該携帯型水素ガス吸引装置は、携帯型水素ガス貯蔵容器１から放出される水素ガスを吸引パイプ５を介して吸引可能に構成されている。使用者は、吸引パイプ５を口にくわえて水素ガスを吸引してもよく、吸引パイプ５を口から離した状態で水素ガスを吸引してもよい。
【００１８】
（携帯型水素ガス貯蔵容器）
携帯型水素ガス貯蔵容器１は、放出部２と、放出部２に連結される容器本体３と、容器本体３の外面を被覆する被覆部材４とを有する。携帯型水素ガス貯蔵容器１は、例えば衣類のポケットに収納可能な程度のサイズに形成される。
【００１９】
〈容器本体〉
容器本体３は、例えばアルミ、ステンレス等の金属製である。図３〜図５に示すように、容器本体３は、有底筒状の胴部３ａと、胴部３ａの開口側の端部から連続する筒状の縮径部３ｂと、縮径部３ｂから連続する筒状の口部３ｃとを有する。口部３ｃには、ネジ等によって放出部２が連結固定されている。
【００２０】
容器本体３の軸方向長さの下限としては、５ｃｍが好ましく、７ｃｍがより好ましい。一方、容器本体３の軸方向長さの上限としては、１５ｃｍが好ましく、９ｃｍがより好ましい。上記軸方向長さが上記下限より小さいと、水素ガスの貯蔵量が不十分となるおそれや、携帯型水素ガス貯蔵容器１の取扱性が低下するおそれがある。逆に、上記軸方向長さが上記上限を超えると、携帯型水素ガス貯蔵容器１を衣類のポケット等に収納し難くなり、携帯性が不十分となるおそれがある。
【００２１】
容器本体３の容積の下限としては、５ｃｍ３が好ましく、７ｃｍ３がより好ましい。一方、容器本体３の容積の上限としては、１５ｃｍ３が好ましく、１０ｃｍ３がより好ましい。上記容積が上記下限に満たないと、水素ガスの貯蔵量が不十分となるおそれがある。逆に、上記容積が上記上限を超えると、携帯型水素ガス貯蔵容器１のサイズが大きくなり、携帯性が不十分となるおそれがある。
【００２２】
容器本体３には水素ガスが貯蔵される。例えば容器本体３には水素吸蔵合金が内蔵され、この水素吸蔵合金に吸蔵させることで水素ガスが貯蔵される。また、容器本体３に水素吸蔵合金が内蔵されない場合であれば、容器本体３には、例えば圧縮水素ガスが貯蔵される。容器本体３は、別途用意される水素ガス充填器（不図示）によって内部に水素ガスを充填可能に構成されている。
【００２３】
〈放出部〉
放出部２は、図３〜図５に示すように、吸引パイプ５と嵌合される第１連結部１２を有するケーシング１１と、基端側がケーシング１１内に配設されると共に先端が露出する水素ガス放出ノズル１３と、水素ガス放出ノズル１３の基端側のノズル口を封止可能なバルブ１４とを有する。ケーシング１１は、筒状であり、軸方向に貫通孔を有する。ケーシング１１の貫通孔には水素ガス放出ノズル１３及びバルブ１４が軸方向に沿って配設されている。ケーシング１１及び水素ガス放出ノズル１３は、いずれも金属等の剛性部材によって形成されている。水素ガス放出ノズル１３は直管状である。水素ガス放出ノズル１３の中心軸と容器本体３の中心軸とは一致する。また、放出部２は、水素ガス放出ノズル１３及びバルブ１４を水素ガス放出ノズル１３の先端側に付勢するバネ部材（第１バネ部材１５）と、第１バネ部材１５の基端側において口部３ｃ内に配設されるフィルター１６とを有する。第１バネ部材１５及びフィルター１６は上記貫通孔に配設される。
【００２４】
放出部２は、図３に示すように、水素ガス放出ノズル１３及びバルブ１４が第１バネ部材１５によって付勢された状態ではバルブ１４が水素ガス放出ノズル１３のノズル口に設けられるシール部材１７と当接することで水素ガス放出ノズル１３内の空間と容器本体３内の空間とが遮断されている。一方、図４及び図５に示すように、放出部２は、水素ガス放出ノズル１３が基端側に押圧されると、水素ガス放出ノズル１３と共にバルブ１４が基端側に移動することで、バルブ１４とシール部材１７との間に隙間が形成され、この隙間を介して水素ガス放出ノズル１３内の空間と容器本体３内の空間とが連通するよう構成されている。
【００２５】
フィルター１６は、複数の微細孔を有している。容器本体３に水素吸蔵合金が内蔵される場合、これらの微細孔の孔径は、水素吸蔵合金の粒径より小さく形成されている。これにより、携帯型水素ガス貯蔵容器１は、水素吸蔵合金の容器本体３外への流出が防止される。
【００２６】
第１連結部１２は携帯型水素ガス貯蔵容器１の軸方向の最先端に設けられている。第１連結部１２は筒状であり、より詳しくは円筒状である。第１連結部１２の外径は、ケーシング１１の第１連結部１２よりも基端側の外径よりも小さい。第１連結部１２の中心軸は、水素ガス放出ノズル１３及び容器本体３の中心軸と一致している。
【００２７】
第１連結部１２の外周面には防滑用のＯリング１８が設けられている。具体的には、第１連結部１２の外周面には、周方向に２つの凹部が形成されており、これらの凹部に一対のＯリング１８が嵌合されている。一対のＯリング１８の外面は、第１連結部１２の外周面（凹部以外の外部に露出した外周面）よりも外面側に隆起している。一対のＯリング１８は、シリコーン等の合成樹脂製であり、適度な柔軟性を有している。第１連結部１２の内周面には雌ネジ１９が設けられている。
【００２８】
水素ガス放出ノズル１３の先端は第１連結部１２内、より詳しくは第１連結部１２の内部空間に突出している。つまり、水素ガス放出ノズル１３の先端は、第１連結部１２内に位置している。
【００２９】
（吸引パイプ）
吸引パイプ５は、第１連結部１２と嵌合される第２連結部２２を有する連結管２１と、連結管２１と接続され、連結管２１を通過した水素ガスを吐出可能な吐出管２３と、第１連結部１２及び第２連結部２２の嵌合状態で水素ガス放出ノズル１３と先端同士が突き合わされ、水素ガス放出ノズル１３を押圧可能な水素ガス吸引ノズル２４とを有する。連結管２１及び吐出管２３は筒状であり、軸方向に貫通孔を有する。連結管２１及び吐出管２３の貫通孔は連通しており、水素ガスの流路を形成している。連結管２１及び水素ガス吸引ノズル２４は、いずれも金属等の剛性部材によって形成されている。
【００３０】
吸引パイプ５の軸方向長さの下限としては、４ｃｍが好ましく、５ｃｍがより好ましい。一方、吸引パイプ５の軸方向長さの上限としては、１５ｃｍが好ましく、１０ｃｍがより好ましい。上記軸方向長さが上記下限より小さいと、水素ガスの吸引を容易に行うことができないおそれがある。逆に、上記軸方向長さが上記上限を超えると、携帯性が不十分となるおそれがある。
【００３１】
第２連結部２２は、連結管２１の先端側（放出部２と接続される端部側）に設けられている。第２連結部２２は第１連結部１２に内嵌可能な筒状である。水素ガス吸引ノズル２４は、第２連結部２２の先端部から突出するよう設けられている。
【００３２】
第２連結部２２の外周面には第１連結部１２の内周面に形成される雌ネジ１９と螺合可能な雄ネジ２５が設けられている。当該携帯型水素ガス吸引装置１は、第１連結部１２の内周面に雌ネジ１９が設けられ、第２連結部２２の外周面に雌ネジ１９と螺合可能な雄ネジ２５が設けられることによって、第１連結部１２及び第２連結部２２を容易かつ確実に嵌合固定することができ、放出部２と連結管２１との連結部分から水素ガスが漏れるのを容易かつ確実に防止することができる。
【００３３】
当該携帯型水素ガス吸引装置は、第１連結部１２及び第２連結部２２の嵌合状態で水素ガス放出ノズル１３が基端側に押圧されることで携帯型水素ガス貯蔵容器１と連結管２１とが連通する。上述のように、当該携帯型水素ガス吸引装置は、水素ガス吸引ノズル２４の先端が第２連結部２２の先端部から突出し、水素ガス放出ノズル１３の先端が第１連結部１２内に突出している。そのため、当該携帯型水素ガス吸引装置は、第１連結部１２と第２連結部２２とを嵌合することで水素ガス放出ノズル１３及び水素ガス吸引ノズル２４の先端同士を容易かつ確実に突き合わせることができる。
【００３４】
吸引パイプ５は、水素ガスの流路を開閉可能なバルブ機構３１を有する。当該携帯型水素ガス吸引装置は、上述のように、第１連結部１２及び第２連結部２２の嵌合状態で携帯型水素ガス貯蔵容器１と連結管２１とが連通する。そのため、当該携帯型水素ガス吸引装置は、バルブ機構３１を有することで、例えば携帯型水素ガス貯蔵容器１と吸引パイプ５とを常時連結しておき、水素ガスを吸引したい場合に水素ガスの流路を開にするようバルブ機構３１を操作することで容易かつ迅速に水素ガスを吸引することができる。
【００３５】
吸引パイプ５は、バルブ機構３１として、連結管２１に摺動可能に外嵌される摺動管３２と、摺動管３２を軸方向（摺動方向）の一方側に付勢するバネ部材（第２バネ部材３３）と、第２バネ部材３３に付勢された状態で水素ガスの流路を封止するシール部材３４とを有する。
【００３６】
バルブ機構３１による水素ガスの流路の開閉機構について説明する。連結管２１に形成される上述の貫通孔は、水素ガス吸引ノズル２４の先端側から一定の位置まで延びる小径の第１部分２６ａと、この第１部分２６ａから連続し、第１部分２６ａよりも大径の第２部分２６ｂとを有している。図４に示すように、シール部材３４は、第２部分２６ｂ内に配置され、第１部分２６ａを封止するよう第２バネ部材３３によって摺動管３２と共に水素ガス吸引ノズル２４の先端側（放出部２との連結側）に付勢されている。これにより、連結管２１内の水素ガスの流路は、第２バネ部材３３による付勢状態ではシール部材３４によって遮断されている。一方、図５に示すように、摺動管３２を第２バネ部材３３の付勢に抗して摺動させると、シール部材３４による封止状態が解除され、連結管２１内の水素ガスの流路が解放される。
【００３７】
当該携帯型水素ガス吸引装置は、バルブ機構３１として、連結管２１に摺動可能に外嵌する摺動管３２と、摺動管３２を軸方向の一方側に付勢する第２バネ部材３３と、第２バネ部材３３に付勢された状態で水素ガスの流路を封止するシール部材３４とを有することによって、摺動管３２を連結管２１に対して摺動させることで容易かつ迅速に水素ガスを吸引することができる。
【００３８】
吐出管２３は、例えば合成樹脂を主成分として形成される。吐出管２３は、例えば螺合、嵌め込み等によって連結管２１と着脱可能に構成されている。吐出管２３の連結管２１との連結側と反対側の端部は、使用者が水素ガスを吸引するための水素ガス吸引部３５として構成されている。
【００３９】
吐出管２３は、水素ガスの流路に形成され、香料及び吸着剤の少なくとも一方を収容可能な収容室３６を有する。収容室３６は、例えば円筒状の胴部と、この胴部の両端開口に設けられるフィルター部とを有する。上記フィルター部は、複数の微細孔を有している。これにより、収容室３６は、香料及び吸着剤の少なくとも一方を収容可能であると共に、胴部の軸方向に水素ガスを通過させることができる。当該携帯型水素ガス吸引装置は、収容室３６を有することで、例えば水素ガスに風味を加えることができ、使用者に水素ガスをより快適に吸引させることができる。
【００４０】
＜利点＞
当該携帯型水素ガス吸引装置は、携帯型水素ガス貯蔵容器１の放出部２と吸引パイプ５の連結管２１とが着脱可能に構成されている。また、この放出部２と連結管２１とは、第１連結部１２と第２連結部２２とが嵌合することで連通可能に構成されている。そのため、当該携帯型水素ガス吸引装置は、例えば携帯型水素ガス貯蔵容器１と吸引パイプ５とを別個に保持し、水素ガスを吸引したい場合に両者を連結することで容易に水素ガスを吸引することができる。従って、当該携帯型水素ガス吸引装置は、所望の際に容易に水素ガスを吸引することができる。
【００４１】
当該携帯型水素ガス吸引装置は、携帯型水素ガス貯蔵容器１と吸引パイプ５とが直接連結されるので装置全体をコンパクトに構成することができ、携帯性に優れる。
【００４２】
［その他の実施形態］
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００４３】
例えば吸引パイプは、上述のバルブ機構を有していなくてもよい。また、当該携帯型水素ガス吸引装置は、上記吸引パイプがバルブ機構を有する場合でも、このバルブ機構の具体的構成は上述の実施形態の構成に限定されるものではない。上記バルブ機構は、例えば上述の第２バネ部材による付勢に代えて、上述の連結管の外周面に雄ネジ部が形成され、かつ上述の摺動管の内周面に雌ネジ部が形成される構成を採用することも可能である。この構成によると、摺動管を連結管の周方向に回転させることでこの摺動管をシール部材と共に連結管の軸方向に移動させることができる。
【００４４】
当該携帯型水素ガス吸引装置は、上記吐出管に代えて又は吐出管と共に連結管が上述の収容室を有していてもよい。また、当該携帯型水素ガス吸引装置は、吸引パイプが収容室を有しない構成とすることも可能である。
【産業上の利用可能性】
【００４５】
以上のように、本発明に係る携帯型水素ガス吸引装置は、所望の際に水素ガスを吸引可能な携帯型装置として適している。
【符号の説明】
【００４６】
１  携帯型水素ガス貯蔵容器
２  放出部
３  容器本体
３ａ  胴部
３ｂ  縮径部
３ｃ  口部
４  被覆部材
５  吸引パイプ
１１  ケーシング
１２  第１連結部
１３  水素ガス放出ノズル
１４  バルブ
１５  第１バネ部材
１６  フィルター
１７  シール部材
１８  Ｏリング
１９  雌ネジ
２１  連結管
２２  第２連結部
２３  吐出管
２４  水素ガス吸引ノズル
２５  雄ネジ
２６ａ  第１部分
２６ｂ  第２部分
３１  バルブ機構
３２  摺動管
３３  第２バネ部材
３４  シール部材
３５  水素ガス吸引部
３６  収容室
【図１】
2020130723.tif 000003
【図２】
2020130723.tif 000004
【図３】
2020130723.tif 000005
【図４】
2020130723.tif 000006
【図５】
2020130723.tif 000007